(57)【要約】【課題】テーブルスポット溶接機の使用によってガンブラケット内のチェーンに伸びが生じても、簡単且つ容易に溶接ガンの加圧代を調整することができる溶接ガンの加圧代調整機構を提供する。【解決手段】加圧代調整機構１３は、軸方向に貫通する貫通孔を有し、外周面の一部分にネジが切られ、加圧シリンダ８のピストンロッド突出側に固定される第１固定ネジ１３１と、軸方向に貫通する貫通孔を有し、外周面の一部分に第１固定ネジ１３１と逆方向のネジが切られ、回動軸５Ｄの加圧シリンダ８側に固定される第２固定ネジ１３２と、軸方向に貫通する貫通孔を有し、該貫通孔の内面の一部分に第１固定ネジ１３１と螺合するネジが切られ、該貫通孔の内面の一部分以外の部分に第２固定ネジ１３２と螺合するネジが切られた調整ナット１３３と、加圧シリンダ８を調整ナット１３３の移動方向と同方向に移動可能にしつつ回動軸５Ｄ側に固定する固定部材と、を備える。【選択図】  図４
2020138212.tif 000002
【特許請求の範囲】
【請求項１】
被溶接物を載置する板状電極と、
前記板状電極と平行となる横向き姿勢で移動可能な溶接ガンと、
内部が中空の棒状を成し、前記溶接ガンを支持する先端部が屈曲し、内部には一端が前記溶接ガンに接続されるチェーンが設けられたガンブラケットと、
先端に前記ガンブラケット内の前記チェーンの他端が接続されるピストンロッドを有し、作動用気体の供給／排気によって前記ピストンロッドが伸縮する加圧シリンダと、
を備えたテーブルスポット溶接機に用いられる溶接ガンの加圧代調整機構であって、
前記加圧シリンダの前記ピストンロッドが通過可能な大きさで、一端面から該一端面と平行な他端面との間を軸方向に貫通する貫通孔を有し、外周面の少なくとも一部分に軸方向に沿ってネジが切られた第１固定部材と、
前記加圧シリンダの前記ピストンロッドが通過可能な大きさで、一端面から該一端面と平行な他端面との間を軸方向に貫通する貫通孔を有し、外周面の少なくとも一部分に軸方向に沿って前記第１固定部材と逆方向のネジが切られた第２固定部材と、
一端面から該一端面と平行な他端面との間を軸方向に貫通する貫通孔を有し、前記貫通孔の内面の一部分に前記第１固定部材と螺合するネジが切られるとともに、前記貫通孔の内面の前記一部分以外の部分に前記第２固定部材と螺合するネジが切られた調整部材と、
前記加圧シリンダ６２を、前記第１固定部材、前記第２固定部材及び前記調整部材それぞれと共通する軸方向に移動自在に前記ガンブラケット側に接続する接続部材と、
を備え、
前記第１固定部材は、前記加圧シリンダ側に固定され、
前記第２固定部材は、前記ガンブラケット側に固定され、
前記調整部材は、前記第１固定部材及び前記第２固定部材それぞれと螺合させた状態となる、
溶接ガンの加圧代調整機構。
【請求項２】
被溶接物を載置する板状電極と、
前記板状電極と平行となる横向き姿勢で移動可能な溶接ガンと、
内部が中空の棒状を成し、前記溶接ガンを支持する先端部が屈曲し、内部には一端が前記溶接ガンに接続されるチェーンが設けられたガンブラケットと、
先端に前記ガンブラケット内の前記チェーンの他端が接続されるピストンロッドを有し、作動用気体の供給／排気によって前記ピストンロッドが伸縮する加圧シリンダと、
を備えたテーブルスポット溶接機に用いられる溶接ガンの加圧代調整機構であって、
前記加圧シリンダの前記ピストンロッドが通過可能な大きさで、一端面から該一端面と平行な他端面との間を軸方向に貫通する貫通孔を有し、前記貫通孔内面の少なくとも一部分に軸方向に沿ってネジが切られた第１固定部材と、
前記加圧シリンダの前記ピストンロッドが通過可能な大きさで、一端面から該一端面と平行な他端面との間を軸方向に貫通する貫通孔を有し、前記貫通孔内面の少なくとも一部分に軸方向に沿って前記第１固定部材と逆方向のネジが切られた第２固定部材と、
一端面から該一端面と平行な他端面との間を軸方向に貫通する貫通孔を有し、外周面の一部分に前記第１固定部材と螺合するネジが切られるとともに、前記外周面の前記一部分以外の部分に前記第２固定部材と螺合するネジが切られた調整部材と、
前記加圧シリンダ６２を、前記第１固定部材、前記第２固定部材及び前記調整部材それぞれと共通する軸方向に移動自在に前記ガンブラケット側に接続する接続部材と、
を備え、
前記第１固定部材は、前記加圧シリンダ側に固定され、
前記第２固定部材は、前記ガンブラケット側に固定され、
前記調整部材は、前記第１固定部材及び前記第２固定部材それぞれと螺合させた状態となる、
溶接ガンの加圧代調整機構。
【請求項３】
前記調整部材と前記第１固定部材との間の距離を計る目盛りを、
備えた請求項１又は請求項２に記載の溶接ガンの加圧代調整機構。
【発明の詳細な説明】
【技術分野】
【０００１】
本発明は、被溶接物を載置する所謂テーブル電極と呼ばれる平坦な板状電極と、該板状電極と平行となる横向き姿勢で移動可能な溶接ガンとを備えたテーブルスポット溶接機に用いて好適な溶接ガンの加圧代調整機構に関する。
【背景技術】
【０００２】
上述したテーブルスポット溶接機として、例えば本願発明者等が先に提案したものがある（特許文献１）。図７は、特許文献１に記載のテーブルスポット溶接機の溶接ガン７及びその支持機構を示す側面図である。また、図８は、溶接ガン７及びその支持機構の一部分を示す側面図である。なお、図７には、ガンブラケット６の上端部と下端部それぞれにおける内部構造も示している。
【０００３】
図７において、ガンブラケット６は、本体部６１が長尺角筒状で、先端部６１Ａ（図８参照）が屈曲した略Ｌ字状を成している。ガンブラケット６の基端部（図７に示す上側の端部）には、ガンブラケット６を水平方向に回転自在に支持する回動軸５Ｄが取り付けられている。回動軸５Ｄは、溶接機本体（図示略）の可動アーム５Ｂに接続される。また、回動軸５Ｄには、加圧シリンダ８のピストンロッド８１を通すための貫通孔が軸方向に沿って設けられている。加圧シリンダ８は、回動軸５Ｄの上端に取り付けられ、回動軸５Ｄによって、ガンブラケット６と共に回転する。加圧シリンダ８のピストンロッド８１は、ガンブラケット６の基端部に至る長さを有しており、先端にはチェーン６４の一端が接続される。チェーン６４の他端は、チェーンフック６５を介して溶接ガン７に接続される。チェーンフック６５は、溶接ガン７を垂直方向に回動できるように、溶接ガン７に対して垂直方向に回動自在に接続される。
【０００４】
加圧シリンダ８のピストンロッド８１は、加圧シリンダ８の本体内に空気が注入されることで縮み、排出されることで伸びる。ピストンロッド８１が縮むことで、チェーン６４が引き上げられる。ここで、図８に示すように、ガンブラケット６と溶接ガン７を回動自在に接続するボルト６６が、チェーンフック６５よりも溶接ガン７の先端側に位置にしているので、ボルト６６を支点として、チェーン６４が引き上げられることで、溶接ガン７の先端が下方に向かい、後端が上方に向かうように回動する。
【０００５】
図８において、溶接ガン７は、ガン本体７０と、シャンクホルダ７１と、シャンク７２と、キャップチップ７３と、ハンドル７４と、を備える。ガン本体７０は、シャンクホルダ７１の基端部を把持することで、シャンクホルダ７１を支持する。シャンクホルダ７１は、先端部が略直角に屈曲した棒状に形成され、内部には冷却水を流すための流路（図示略）が形成されている。シャンク７２は、シャンクホルダ７１の先端部分に装着され、シャンク７２の先端部分にはキャップチップ７３が装着される。ハンドル７４は、ガン本体７０の後端部分に取り付けられ、溶接ガン７の上下動操作に用いられる。
【０００６】
溶接時には、溶接ガン７の先端部分に装着したキャップチップ７３をワークＷに当て、その状態で溶接ガン７に取り付けられた起動スイッチ（図示略）を押下することで、加圧シリンダ８が作動し、チェーン６４が引き上げられてワークＷに対する加圧が行われる。そして、ワークＷを介して溶接ガン７とテーブル電極（図示略）との間に電流が流れ、ワークＷに対する溶接が行われる。
【先行技術文献】
【特許文献】
【０００７】
【特許文献１】特開２０１８−０２３９８４号公報
【発明の概要】
【発明が解決しようとする課題】
【０００８】
上述した従来のテーブルスポット溶接機においては、長期に亘る使用によってガンブラケット６内のチェーン６４が伸びてしまうので、溶接ガン７の加圧代を調整するために、定期的にチェーン６４の切詰めを行っているが、チェーン６４の切詰めを行うには、ガンブラケット６から加圧シリンダ８とチェーン６４を抜く作業と、抜いたチェーン６４をサンダーで切詰めるという作業が必要となるため、作業工数がかかるという課題がある。
【０００９】
本発明は係る事情に鑑みてなされたものであり、テーブルスポット溶接機の使用によってガンブラケット内のチェーンに伸びが生じても、簡単且つ容易に溶接ガンの加圧代を調整することができる溶接ガンの加圧代調整機構を提供することを目的とする。
【課題を解決するための手段】
【００１０】
本発明の溶接ガンの加圧代調整機構は、被溶接物を載置する板状電極と、前記板状電極と平行となる横向き姿勢で移動可能な溶接ガンと、内部が中空の棒状を成し、前記溶接ガンを支持する先端部が屈曲し、内部には一端が前記溶接ガンに接続されるチェーンが設けられたガンブラケットと、先端に前記ガンブラケット内の前記チェーンの他端が接続されるピストンロッドを有し、作動用気体の供給／排気によって前記ピストンロッドが伸縮する加圧シリンダと、を備えたテーブルスポット溶接機に用いられる溶接ガンの加圧代調整機構であって、前記加圧シリンダの前記ピストンロッドが通過可能な大きさで、一端面から該一端面と平行な他端面との間を軸方向に貫通する貫通孔を有し、外周面の少なくとも一部分に軸方向に沿ってネジが切られた第１固定部材と、前記加圧シリンダの前記ピストンロッドが通過可能な大きさで、一端面から該一端面と平行な他端面との間を軸方向に貫通する貫通孔を有し、外周面の少なくとも一部分に軸方向に沿って前記第１固定部材と逆方向のネジが切られた第２固定部材と、一端面から該一端面と平行な他端面との間を軸方向に貫通する貫通孔を有し、前記貫通孔の内面の一部分に前記第１固定部材と螺合するネジが切られるとともに、前記貫通孔の内面の前記一部分以外の部分に前記第２固定部材と螺合するネジが切られた調整部材と、前記加圧シリンダを、前記第１固定部材、前記第２固定部材及び前記調整部材それぞれと共通する軸方向に移動自在に前記ガンブラケット側に接続する接続部材と、を備え、前記第１固定部材は、前記加圧シリンダ側に固定され、前記第２固定部材は、前記ガンブラケット側に固定され、前記調整部材は、前記第１固定部材及び前記第２固定部材それぞれと螺合させた状態となる。
【００１１】
上記構成によれば、調整部材を、一方向に回すことで、第１固定部材と第２固定部材との間の距離が大きくなり、一方向とは反対の方向に回すことで、第１固定部材と第２固定部材との間の距離が小さくなるので、チェーンの伸びによる溶接ガンの加圧代の調整を簡単且つ容易に行うことが可能となる。
【００１２】
本発明の溶接ガンの加圧代調整機構は、被溶接物を載置する板状電極と、前記板状電極と平行となる横向き姿勢で移動可能な溶接ガンと、内部が中空の棒状を成し、前記溶接ガンを支持する先端部が屈曲し、内部には一端が前記溶接ガンに接続されるチェーンが設けられたガンブラケットと、先端に前記ガンブラケット内の前記チェーンの他端が接続されるピストンロッドを有し、作動用気体の供給／排気によって前記ピストンロッドが伸縮する加圧シリンダと、を備えたテーブルスポット溶接機に用いられる溶接ガンの加圧代調整機構であって、前記加圧シリンダの前記ピストンロッドが通過可能な大きさで、一端面から該一端面と平行な他端面との間を軸方向に貫通する貫通孔を有し、前記貫通孔内面の少なくとも一部分に軸方向に沿ってネジが切られた第１固定部材と、前記加圧シリンダの前記ピストンロッドが通過可能な大きさで、一端面から該一端面と平行な他端面との間を軸方向に貫通する貫通孔を有し、前記貫通項内面の少なくとも一部分に軸方向に沿って前記第１固定部材と逆方向のネジが切られた第２固定部材と、一端面から該一端面と平行な他端面との間を軸方向に貫通する貫通孔を有し、外周面の一部分に前記第１固定部材と螺合するネジが切られるとともに、前記外周面の前記一部分以外の部分に前記第２固定部材と螺合するネジが切られた調整部材と、前記加圧シリンダを、前記第１固定部材、前記第２固定部材及び前記調整部材それぞれと共通する軸方向に移動自在に前記ガンブラケット側に接続する接続部材と、を備え、前記第１固定部材は、前記加圧シリンダ側に固定され、前記第２固定部材は、前記ガンブラケット側に固定され、前記調整部材は、前記第１固定部材及び前記第２固定部材それぞれと螺合させた状態となる。
【００１３】
上記構成によれば、調整部材を一方向に回すことで、第１固定部材と第２固定部材との間の距離が大きくなり、調整部材を一方向とは反対の方向に回すことで、第１固定部材と第２固定部材との間の距離が小さくなるので、チェーンの伸びによる溶接ガンの加圧代の調整を簡単且つ容易に行うことが可能となる。
【００１４】
上記構成において、前記調整部材と前記第１固定部材との間の距離を計る目盛りを、備えた。
【００１５】
上記構成によれば、加圧代の調整が容易になることと、チェーンの交換時期を把握することが可能となる。
【発明の効果】
【００１６】
本発明によれば、長期に亘る使用によって溶接ガンを引き上げるためのチェーンに伸びが生じても、チェーンを切詰める作業を行うことなく、容易に溶接ガンの加圧代を調整することができる。
【図面の簡単な説明】
【００１７】
【図１】本発明の実施形態に係るテーブルスポット溶接機の外観を示す側面図
【図２】本発明の実施形態に係るテーブルスポット溶接機を構成する溶接ガン及びその支持機構を示す側面図
【図３】本発明の実施形態に係るテーブルスポット溶接機の加圧シリンダのガンブラケット側への固定状態を示す図
【図４】本発明の実施形態に係るテーブルスポット溶接機の加圧代調整機構の分解状態を示す斜視図
【図５】本発明の実施形態に係るテーブルスポット溶接機の加圧代調整機構の組み立て後の外観を示す斜視図
【図６】本発明の実施形態に係るテーブルスポット溶接機の加圧代調整機構の変形例の組み立て後の外観を示す斜視図
【図７】従来のテーブルスポット溶接機の溶接ガン及びその支持機構を示す側面図
【図８】図７に示す溶接ガン及びその支持機構の一部分を示す側面図
【発明を実施するための形態】
【００１８】
以下、本発明を実施するための好適な実施形態について、図面を参照して詳細に説明する。
【００１９】
図１は、本発明の実施形態（以下、“本実施形態”と呼ぶ）に係るテーブルスポット溶接機１の外観を示す側面図である。同図において、本実施形態に係るテーブルスポット溶接機１は、冷却ユニット２と、電源ユニット３と、支持ポスト４と、支持アーム(片持ちの多関節アーム)５と、ガンブラケット６と、溶接ガン７と、加圧シリンダ８と、導電ケーブル９と、板状電極（以下、テーブル電極と呼ぶ）１０と、溶接トランス１１と、テーブル駆動部１２と、加圧代調整機構１３と、を備える。
【００２０】
冷却ユニット２は、溶接時に溶接ガン７から発生する熱を冷却するための冷却水を供給する。冷却ユニット２は、電源が投入されている間は常時動作して溶接ガン７との間で冷却水を循環させる。電源ユニット３は、受電設備（図示略）から供給される三相の交流電力を整流素子（図示略）にて直流に変換し、変換後の直流から高周波交流を生成して出力する。支持ポスト４は、冷却ユニット２と電源ユニット３の近傍にて垂直方向に立設され、支持アーム５を水平方向に回動自在に支持する。支持アーム５は、支持ポスト４に対して水平方向に延びた水平アーム部５Ａ，５Ｂ、水平アーム部５Ａ，５Ｂを水平方向に回動自在に接続する回動軸５Ｃ、水平アーム部５Ｂの先端でガンブラケット６を水平方向に回動自在に支持する回動軸５Ｄと、を備える。
【００２１】
図２は、本実施形態に係るテーブルスポット溶接機１の溶接ガン７及びその支持機構を示す側面図である。同図に示す加圧代調整機構１３を除く各部品は、前述した図７に示す各部品と共通であるので、それぞれの詳細な説明は省略する。図２において、加圧代調整機構１３は、ガンブラケット６内のチェーン６４の伸びによる加圧代の調整を可能とするものであり、回動軸５Ｄと加圧シリンダ８との間で、下端が回動軸５Ｄの上端に、上端が加圧シリンダ８の下端にそれぞれ固定される。また、加圧シリンダ８と回動軸５Ｄとの間には、加圧シリンダ８をガンブラケット６側に接続する接続部材１６（図３参照）が設けられている。
【００２２】
図３は、本実施形態に係るテーブルスポット溶接機１の加圧シリンダ８のガンブラケット６側への固定状態を示す図である。同図において、加圧シリンダ６２は、接続部材１６によってガンブラケット６側に接続されている。接続部材１６は、一端が加圧シリンダ８の下端部側に位置し、他端が回動軸５Ｄの上端部側に位置する長さを有するロッド１６１と、回動軸５Ｄの上端部に位置し、ロッド１６１の先端部分を通過させる貫通孔を有するロッドホルダ１６２とから構成される。ロッド１６１は、一端側が加圧シリンダ８に固定され、他端側がロッドホルダ１６に出入り自在に支持される。ロッド１６１がロッドホルダ１６２の貫通孔に対して十分に滑動可能なように、ロッドホルダ１６２の貫通孔の径は、ロッド１６１の径より大きくなっている。なお、接続部材１６は、１つに限定されるものではなく、複数設けても構わない。
【００２３】
図４は、本実施形態に係るテーブルスポット溶接機１の加圧代調整機構１３の分解状態を示す斜視図である。同図に示すように、加圧代調整機構１３は、第１固定ネジ（第１固定部材）１３１と、第２固定ネジ（第２固定部材）１３２と、調整ナット（調整部材）１３３と、を備える。第１固定ネジ１３１は、上面が平らになった円板状の頭部１３１１と、頭部１３１１の下面側に該頭部１３１１と同軸状に配置され、該頭部１３１１より小径のネジ部１３１２とから構成される。また、第１固定ネジ１３１の中央部には、頭部１３１１の上面からネジ部１３１２の下面を貫通し、加圧シリンダ８のピストンロッド８１を通過させるための貫通孔１３１３が形成されている。第２固定ネジ１３２は、下面が平らになった円板状の頭部１３２１と、頭部１３２１の上面側に該頭部１３２１と同軸状に配置され、該頭部１３２１より小径のネジ部１３２２とから構成される。また、第２固定ネジ１３２の中央部には、頭部１３２１の下面からネジ部１３２２の上面を貫通し、加圧シリンダ８のピストンロッド８１を通過させるための貫通孔１３２３が形成されている。
【００２４】
第１固定ネジ１３１と第２固定ネジ１３２は同じ大きさであるが、第１固定ネジ１３１のネジ部１３１２に切られたねじの方向と第２固定ネジ１３２のネジ部１３２２に切られたネジの方向が互いに逆になっている点で違いがある。以下、第１固定ネジ１３１のネジ部１３１２のねじを“正ネジ”と呼び、第２固定ネジ１３２のネジ部１３２２のねじを“逆ネジ”と呼ぶこととする。
【００２５】
調整ナット１３３は、第１固定ネジ１３１及び第２固定ネジ１３２と同一径の円筒形を成し、開口面１３３３には第１固定ネジ１３１及び第２固定ネジ１３２と螺合するネジが切られている。詳しくは、調整ナット１３３の上面から中央に至る開口面１３３３−１には第１固定ネジ１３１のネジ部１３１２と螺合する正ネジが切られており、調整ナット１３３の下面から中央に至る開口面１３３３−２には第２固定ネジ１３２のネジ部１３２２と螺合する逆ネジが切られている。なお、加圧代の調整可能範囲を広げるという意味で、第１固定ネジ１３１のネジ部１３１２の厚さＬ１と、第２固定ネジ１３２のネジ部１３２２の厚さＬ２と、調整ナット１３３の厚さＬ３を、それぞれ大きくするのが望ましい。本実施形態に係るテーブルスポット溶接機１では、調整ナット１３３の厚さＬ３を、第１固定ネジ１３１のネジ部１３１２の厚さＬ１と第２固定ネジ１３２のネジ部１３２２の厚さＬ２を加算した厚さとしている。
【００２６】
図５は、本実施形態に係るテーブルスポット溶接機１の加圧代調整機構１３の外観を示す斜視図である。同図において、第１固定ネジ１３１と調整ナット１３３が正ネジで螺合し、第２固定ネジ１３２と調整ナット１３３が逆ネジで螺合している。ここで、調整ナット１３３と第１固定ネジ１３１における螺合の初期位置と、調整ナット１３３と第２固定ネジ１３２における螺合の初期位置を、例えば第１固定ネジ１３１においては、そのネジ部１３１２が調整ナット１３３の上半分全体に入る位置とし、第２固定ネジ１３２においては、そのネジ部１３２２が調整ナット１３３の下半分全体に入る位置とする。
【００２７】
調整ナット１３３を、例えば図５の矢印Ｙ１で示す方向に回すと、第１固定部材１３１と第２固定部材１３２との間の距離が大きくなり、矢印Ｙ１で示す方向と反対の方向に回すことで、第１固定部材１３１と第２固定部材１３２との間の距離が小さくなる。本実施形態に係るテーブルスポット溶接機１では、第２固定ネジ１３２側を固定し、加圧シリンダ８を接続部材１６によって上下に移動自在にしていることから、第１固定ネジ１３１側のみ移動することになる。即ち、調整ナット１３３を矢印Ｙ１で示す方向に回すことで、第１固定ネジ１３１が矢印Ｙ３で示す方向へ移動し、調整ナット１３３を矢印Ｙ２で示す方向に回すことで、第１固定ネジ１３１が矢印Ｙ４で示す方向へ移動する。即ち、調整ナット１３３を矢印Ｙ１で示す方向に回すことで、加圧シリンダ８がガンブラケット６から離れて行き、調整ナット１３３を矢印Ｙ２で示す方向に回すことで、加圧シリンダ８がガンブラケット６に近づいて行く。
【００２８】
したがって、チェーン６４が伸びた場合、調整ナット１３３を矢印Ｙ１で示す方向に回して加圧シリンダ６２をガンブラケット６から離して行くことで（即ち、チェーン６４を加圧シリンダ８側へ引き上げることで）、チェーン６４の伸びを相殺することができる。但し、調整ナット１３３の移動範囲の上限を超えてチェーン６４が伸びた場合は、新品のチェーン６４と交換することになるが、新品のチェーン６４に交換する前に、調整ナット１３３を矢印Ｙ２で示す方向に回して第１固定ネジ１３１を初期値まで戻すことになる。このように、チェーン６４が伸びたら、調整ナット１３３を矢印Ｙ１で示す方向に回すだけで加圧代の調整ができるので、加圧代調整に要する工数を大幅に削減できる。なお、加圧代調整において、図５に示すような目盛り１５を、調整ナット１３３と第１固定ネジ１３１との間に設けることで、調整ナット１３３と第１固定ネジ１３１との間の距離を確認することができる。
【００２９】
以上のように、本実施形態に係るテーブルスポット溶接機１は、ガンブラケット６内のチェーン６４の伸びによる加圧代の調整を可能とする加圧代調整機構１３を備えており、この加圧代調整機構１３は、加圧シリンダ８のピストンロッド８１が通過可能な大きさで、一端面から他端面を貫通する貫通孔を有し、外周面の少なくとも一部分にネジが切られ、加圧シリンダ８のピストンロッド突出側に固定される第１固定ネジ１３１と、加圧シリンダ８のピストンロッド８１が通過可能な大きさで、一端面から他端面を貫通する貫通孔を有し、外周面の少なくとも一部分に第１固定ネジ１３１と逆方向のネジが切られ、回動軸５Ｄの加圧シリンダ８側に固定される第２固定ネジ１３２と、一端面から他端面を貫通する貫通孔を有し、該貫通孔の内面の一部分に第１固定ネジ１３１と螺合するネジが切られるとともに、該貫通孔の内面の一部分以外の部分に第２固定ネジ１３２と螺合するネジが切られた調整ナット１３３と、加圧シリンダ８を調整ナット１３３の移動方向と同方向に移動可能にしつつ回動軸５Ｄ側に固定する固定部材１６と、を備え、調整ナット１３３を第１固定ネジ１３１及び第２固定ネジ１３２それぞれと螺合させた状態で、所定の方向に回転させることで、チェーン６４を加圧シリンダ８側へ引き上げることができる。したがって、長期に亘る使用によって溶接ガン７を引き上げるためのチェーンに伸びが生じても、チェーンを切詰める作業を行うことなく、容易に溶接ガン７の加圧代の調整を行うことが可能となる。
【００３０】
また、加圧代調整機構１３は、調整ナット１３３と第１固定ネジ１３１との間の距離を計る目盛り１５を備えたので、加圧代の調整を更に容易にできることに加えて、チェーン６４の交換時期の把握に寄与する。
【００３１】
なお、本発明を特定の実施形態を参照して説明したが、本発明の精神と範囲を逸脱することなく様々な変更や修正を加えることができることは当業者にとって明らかである。
（変形例１）
本実施形態に係るテーブルスポット溶接機１の加圧代調整機構１３における第１固定ネジ１３１、第２固定ネジ１３２及び調整ナット１３３それぞれの形状を、図４に示すような形状としたが、この形状に限定されず、例えば第１固定ネジ１３１のネジ部１３１２と頭部１３１１を同じ大きさ（同じ直径）とし、第２固定ネジ１３２もネジ部１３２２と頭部１３２１と同じ大きさ（同じ直径）としてもよい。但し、その場合、調整ナット１３３の内径を第１固定ネジ１３１及び第２固定ネジ１３２それぞれの直径と同じ大きさにする必要がある。
【００３２】
（変形例２）
本実施形態に係るテーブルスポット溶接機１の加圧代調整機構１３を２つのネジと１つのナットで構成したが、２つのナットと１つのネジで構成することも可能である。図６は、２つのナットと１つのネジで構成した加圧代調整機構１４の分解状態を示す斜視図である。同図に示す加圧代調整機構１４は、加圧シリンダ８のピストンロッド８１が通過可能な大きさで、上面（一端面）から該上面と平行な下面（他端面）との間を軸方向に貫通する貫通孔１４１１を有し、貫通孔１４１１の内面の少なくとも一部分に軸方向に沿ってネジが切られた第１固定部材１４１と、加圧シリンダ８のピストンロッド８１が通過可能な大きさで、上面（一端面）から該上面と平行な下面（他端面）との間を軸方向に貫通する貫通孔１４２１を有し、貫通孔１４２１の内面の少なくとも一部分に軸方向に沿って第１固定部材１４１と逆方向のネジが切られた第２固定部材１４２と、加圧シリンダ８のピストンロッド８１が通過可能な大きさで、上面（一端面）から該上面と平行な下面（他端面）との間を軸方向に貫通する貫通孔１４３１を有し、中央部より上面側に該中央部より小径で、第１固定部材１４１と螺合するネジが切られたネジ部１４３２及び中央部より下面側に該中央部より小径で、第２固定部材１４２と螺合するネジが切られたネジ部１４３３を有する調整部材１４３と、を備える。
【００３３】
この構成において、第１固定部材１４１を加圧シリンダ８側に固定し、第２固定部材１４２をガンブラケット側に固定し、調整部材１４３を第１固定部材１４１及び第２固定部材１４２それぞれと螺合させた状態で、所定の方向に回転させることで、チェーン６４を加圧シリンダ８側へ引き上げることができる。したがって、長期に亘る使用によって溶接ガン７を引き上げるためのチェーンに伸びが生じても、チェーンを切詰める作業を行うことなく、容易に溶接ガン７の加圧代の調整を行うことが可能となる。
【産業上の利用可能性】
【００３４】
本発明は、テーブル電極と溶接ガンとを備えたテーブルスポット溶接機への適用が可能である。
【符号の説明】
【００３５】
１  テーブルスポット溶接機
２  冷却ユニット
３  電源ユニット
４  支持ポスト
５  支持アーム
５Ａ，５Ｂ  水平アーム部
５Ｃ  回動軸
６  ガンブラケット
７  溶接ガン
８  加圧シリンダ
９  導電ケーブル
１０  板状電極
１１  溶接トランス
１２  テーブル駆動部
１３，１４  加圧代調整機構
１６  接続部材
６１  本体部
６４  チェーン
６５  チェーンフック
６６  ボルト
７０  ガン本体
７１  シャンクホルダ
７２  シャンク
７３  キャップチップ
７４  ハンドル
８１  ピストンロッド
１３１  第１固定ネジ
１３２  第２固定ネジ
１３３  調整ナット
１４１  第１固定部材
１４２  第２固定部材
１４３  調整部材
１６１  ロッド
１６２  ロッドホルダ
１３１１，１３２１  頭部
１３１２，１３２２，１４３２，１４３３  ネジ部
１３１３，１３２３，１４１１，１４２１  貫通孔
１３３３，１３３３−１，１３３３−２  開口面
【図１】
2020138212.tif 000003
【図２】
2020138212.tif 000004
【図３】
2020138212.tif 000005
【図４】
2020138212.tif 000006
【図５】
2020138212.tif 000007
【図６】
2020138212.tif 000008
【図７】
2020138212.tif 000009
【図８】
2020138212.tif 000010